(57)【要約】【課題】工事内容を容易に短時間で確認することができることを目的とする。【解決手段】施工に関する説明書を含んだ包装箱１に二次元バーコード２を設け、携帯端末３にて二次元バーコード２を読み込みむとアクセス先情報が表示され、前記アクセス先情報へアクセスすると知りたい情報が携帯端末３に表示させる、という構成を有する。これにより、包装箱１の二次元バーコード２に携帯端末３をかざして二次元バーコード２を読み込ませて携帯端末３の画面６にアクセス先情報を表示させ目的とするアクセス先情報を選択することによって知りたい情報を携帯端末３の画面６に表示させることとなるので、工事内容を容易に短時間で確認することができる設備機器取り付け情報システムを得られる。【選択図】図１
2017058909.tif 000002
【特許請求の範囲】
【請求項１】
施工に関する説明書を含んだ包装箱に二次元バーコードを設け、携帯端末にて前記二次元バーコードを読み込みむとアクセス先情報が表示され、前記アクセス先情報へアクセスすると知りたい情報が前記携帯端末に表示させることを特徴とする設備機器取り付け情報システム。
【請求項２】
二次元バーコードを包装箱の外面に設けることを特徴とする請求項１に記載の設備機器取り付け情報システム。
【請求項３】
包装箱の上面に二次元バーコードを設けたことを特徴とする請求項２に記載の設備機器取り付け情報システム。
【請求項４】
包装箱の側面に二次元バーコードを設けたことを特徴とする請求項２に記載の設備機器取り付け情報システム。
【請求項５】
包装箱に内フラップと外フラップを設け、内ラップの外側に二次元バーコードを設けたことを特徴とする請求項２に記載の設備機器取り付け情報システム。
【請求項６】
説明書に二次元バーコードを設けたことを特徴とする請求項１に記載の設備機器取り付け情報システム。
【請求項７】
表紙や冒頭に二次元バーコードを設けたことを特徴とする請求項６に記載の設備機器取り付け情報システム。
【発明の詳細な説明】
【技術分野】
【０００１】
本発明は、設備機器分野における設備機器取り付け情報の取り出しに関するものである。
【背景技術】
【０００２】
従来、この種の設備機器取り付け情報システムは、２次元バーコードを読み取ってエラーコードを携帯端末等の表示部に表示されるものが知られている（例えば、特許文献１参照）。
【先行技術文献】
【特許文献】
【０００３】
【特許文献１】特開２００４−２６５３１７号公報
【発明の概要】
【発明が解決しようとする課題】
【０００４】
このような従来の設備機器取りにおいては、設備機器が故障した場合設備機器に設けた２次元バーコードを使用者が携帯電話等で読み込むとエラーコードが表示されそのエラーコードをメーカへ電話等で知らせるが、また、取り付け方法を調べる場合工事説明書を見るが施工場所が暗い場合は読みにくく文字を読むのに時間がかかる、という課題を有していた。
【０００５】
そこで本発明は、上記従来の課題を解決するものであり、工事内容を容易に短時間で確認することができる設備機器取り付け情報システムを提供することを目的とする。
【課題を解決するための手段】
【０００６】
そして、この目的を達成するために、本発明は、施工に関する説明書を含んだ包装箱に二次元バーコードを設け、携帯端末にて前記二次元バーコードを読み込みむとアクセス先情報が表示され、前記アクセス先情報へアクセスすると知りたい情報が前記携帯端末に表示させることとしたものであり、これにより所期の目的を達成するものである。
【発明の効果】
【０００７】
本発明によれば、施工に関する説明書を含んだ包装箱に二次元バーコードを設け、携帯端末にて前記二次元バーコードを読み込みむとアクセス先情報が表示され、前記アクセス先情報へアクセスすると知りたい情報が前記携帯端末に表示させる、という構成にしたことにより、包装箱の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、工事内容を容易に短時間で確認することができる、という効果を得ることができる。
【図面の簡単な説明】
【０００８】
【図１】本発明の実施の形態１の設備機器取り付け情報システムを示す図
【図２】本発明の実施の形態２の設備機器取り付け情報システムを示す図
【図３】本発明の実施の形態３の設備機器取り付け情報システムを示す図
【図４】本発明の実施の形態４の設備機器取り付け情報システムの説明書を示す図（（ａ）冊子タイプを示す図、（ｂ）見開きタイプを示す図）
【発明を実施するための形態】
【０００９】
本発明の請求項１記載の設備機器取り付け情報システムは、施工に関する説明書を含んだ包装箱に二次元バーコードを設け、携帯端末にて前記二次元バーコードを読み込みむとアクセス先情報が表示され、前記アクセス先情報へアクセスすると知りたい情報が前記携帯端末に表示させる、という構成を有する。これにより、包装箱の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、工事内容を容易に短時間で確認することができる、という効果を奏する。
【００１０】
また、二次元バーコードを包装箱の外面に設ける、という構成にしてもよい。包装箱の外面の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、工事内容を容易に短時間で確認することができる、という効果を奏する。
【００１１】
また、包装箱の上面に二次元バーコードを設けた、という構成にしてもよい。これにより、包装箱の上面の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、工事内容を容易に短時間で確認することができる、という効果を奏する。
【００１２】
また、包装箱の側面に二次元バーコードを設ける、という構成にしてもよい。これにより、包装箱の側面の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、工事内容を容易に短時間で確認することができる、という効果を奏する。
【００１３】
また、包装箱に内フラップと外フラップを設け、内ラップの外側に二次元バーコードを設けた、という構成にしてもよい。これにより、包装箱を開梱したときに見える内フラップの外側の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、工事内容を容易に短時間で確認することができる、という効果を奏する。
【００１４】
また、説明書に二次元バーコードを設けた、という構成にしてもよい。これにより、説明書の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、工事内容を容易に短時間で確認することができる、という効果を奏する。
【００１５】
また、説明書の表紙や冒頭に二次元バーコードを設けた、という構成にしてもよい。これにより、説明書の表紙や冒頭の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、工事内容を容易に短時間で確認することができる、という効果を奏する。
【００１６】
以下、本発明の実施の形態について図面を参照しながら説明する。
【００１７】
（実施の形態１）
図１に示すように、施工に関する説明書（図示せず）を含んだ段ボールである包装箱１に二次元バーコード２を設け、スマートフォンや携帯電話である携帯端末３にて二次元バーコード２を読み込みむとアクセス先情報（図示せず）が表示され、前記アクセス先情報へアクセスすると知りたい情報が携帯端末３に表示させる。
【００１８】
また、二次元バーコード２は包装箱１の外面に設ける。
【００１９】
また、この実施の形態１では包装箱１の上面４のテープ５やステープル（図示せず）から離れた位置に二次元バーコード２を設ける。
【００２０】
これにより、包装箱１の外面である上面４の二次元バーコード２に携帯端末３（ここではスマートフォン）をかざして二次元バーコード２を読み込ませて携帯端末３の画面６にアクセス先情報（図示せず）を表示させ目的とするアクセス先情報を選択することによって知りたい情報を携帯端末３の画面６に表示させることとなるので、工事内容を容易に短時間で確認することができる、という効果を奏する。
【００２１】
また、設備機器（図示せず）を建物に設置するために包装箱１を床に置くので二次元バーコード２が見易く、更に、開梱時するときの作業面すなわち上面４に二次元バーコード２が設置してあるのでより見易くすることができる。
【００２２】
（実施の形態２）
図２に示すように、施工に関する説明書（図示せず）を含んだ段ボールである包装箱７に二次元バーコード２を設け、スマートフォンや携帯電話である携帯端末３にて二次元バーコード２を読み込みむとアクセス先情報（図示せず）が表示され、前記アクセス先情報へアクセスすると知りたい情報が携帯端末３に表示させる。
【００２３】
この実施の形態２では、二次元バーコード２は包装箱１の外面に設ける。
【００２４】
また、この実施の形態２では包装箱７の側面８のテープ５から離れた位置に二次元バーコード２を設ける。
【００２５】
これにより、包装箱７の外面である側面８の二次元バーコード２に携帯端末３（ここではスマートフォン）をかざして二次元バーコード２を読み込ませて携帯端末３の画面６にアクセス先情報（図示せず）を表示させ目的とするアクセス先情報を選択することによって知りたい情報を携帯端末３の画面６に表示させることとなるので、工事内容を容易に短時間で確認することができる、という効果を奏する。
【００２６】
また、設備機器（図示せず）を建物に設置するために包装箱１を床に積んで置くので二次元バーコード２が見易く、更に、開梱時するときの作業面すなわち上面４に二次元バーコード２が設置してあるのでより見易くすることができる。
【００２７】
（実施の形態３）
また、図３に示すように、包装箱９に内フラップ１０と外フラップ１１とを設け、内フラップ１０の外側すなわちカッターナイフ等（図示せず）で外フラップ１１を固定しているテープ５を切断するときにカッターナイフの刃が触れる内フラップ１０の位置から離したところに二次元バーコード２を設けた。
【００２８】
これにより、包装箱９を開梱したときに見える内フラップ１０の二次元バーコード２に携帯端末３をかざして二次元バーコード２を読み込ませて携帯端末３の画面６にアクセス先情報を表示させ目的とするアクセス先情報を選択することによって知りたい情報を携帯端末３の画面６に表示させることとなるので、開梱前の傷とか汚れに影響されず工事内容を容易に短時間で確認することができる。
【００２９】
（実施の形態４）
図４の（ａ）に示すように、冊子タイプの説明書１２および、（ｂ）に示すように、見開きタイプの説明書１３に二次元バーコード２を設ける。
【００３０】
これにより、冊子タイプの説明書１２、見開きタイプの１３の二次元バーコード２に携帯端末３をかざして二次元バーコード２を読み込ませて携帯端末３の画面６にアクセス先情報を表示させ目的とするアクセス先情報を選択することによって知りたい情報を携帯端末３の画面６に表示させることとなるので、説明書を読まずに工事内容をより容易に短時間で動画等を用いて確認することができる。
【００３１】
また、冊子タイプの説明書１２、見開きタイプの１３の表紙１４や冒頭１５に二次元バーコード２を設ける。
【００３２】
これにより、容易に二次元バーコード２に気付きやすい冊子タイプの説明書１２、見開きタイプの１３の表紙１４や冒頭１５の二次元バーコード２に携帯端末３をかざして二次元バーコード２を読み込ませて携帯端末３の画面６にアクセス先情報を表示させ目的とするアクセス先情報を選択することによって知りたい情報を携帯端末３の画面６に表示させることとなるので、工事内容を説明書を読むより容易に短時間で確認することができる。
【産業上の利用可能性】
【００３３】
本発明にかかる設備機器取り付け情報システムは、工事内容を容易に短時間で確認することができることを可能とするものであるので、取扱情報システムとして有用である。
【符号の説明】
【００３４】
１  包装箱
２  二次元バーコード
３  携帯端末
４  上面
５  テープ
６  画面
７  包装箱
８  側面
９  包装箱
１０  内フラップ
１１  外フラップ
１２  冊子タイプの説明書
１３  見開きタイプの説明書
１４  表紙
１５  冒頭
【図１】
2017058909.tif 000003
【図２】
2017058909.tif 000004
【図３】
2017058909.tif 000005
【図４】
2017058909.tif 000006